(57)【要約】【課題】背景部材が規定する以外の数多くのサイズの原稿に対しても傾きの補正を行うことが可能な画像読取装置を提供する。【解決手段】画像読取装置は、副走査方向に搬送される原稿３３に対し、所定の読取位置Ｙで主走査方向の光を照射し、反射光を取り込む読取手段と、前記読取位置で原稿３３を挟んで読取手段の反対側に配置された背景部材２５と、前記原稿３３と背景部材２５とを読み取った読取結果に基づいて原稿の傾きを検出して斜め補正を行う補正手段とを有する。前記背景部材２５は、白色領域部３５ａと黒色領域部３５ｂとが主走査方向で区分けされたベルト３５からなり、前記ベルト３５を主走査方向に移動させて原稿３３に合わせて白色領域部及び黒色領域部を変化させる調整手段３１を設けている。【選択図】図２
2009212602.tif 000002
【特許請求の範囲】
【請求項１】
副走査方向に搬送される原稿に対し、所定の読取位置で主走査方向の１ラインを読み取る読取手段と、
前記読取位置と原稿を挟んで前記読取手段の反対側に配置された背景部材と、
前記読取手段によって読み取った、前記原稿と前記背景部材との読取結果に基づいて原稿の傾きを検出して、斜め補正を行う補正手段とを有する画像読取装置において、
前記背景部材は、白色領域部と黒色領域部とが主走査方向で区分けされたベルトを有し、
前記読取手段によって原稿を主走査方向に１ライン読み取って得られた原稿サイズに合わせて、前記白色領域部、及び黒色領域部を、主走査方向に移動させる調整手段を設けたことを特徴とする画像読取装置。
【請求項２】
前記調整手段は、前記読取手段が読み取った１枚目の原稿サイズに前記領域部を合わせたまま、連続で読み取ることを特徴とする請求項１に記載の画像読取装置。
【請求項３】
前記調整手段は、前記読取手段が１枚読み取る毎に前記ベルトの領域部を調整することを特徴とする請求項１又は２に記載の画像読取装置。
【請求項４】
前記調整手段は、前記読取手段が所定の枚数読み取る毎に前記ベルトの領域部を調整することを特徴とする請求項１から３のいずれか１項に記載の画像読取装置。
【請求項５】
前記調整手段は、利用者によって指定された原稿サイズを白色領域部とすることを特徴とする請求項１から４のいずれか１項に記載の画像読取装置。
【請求項６】
前記調整手段は、裏面の画像が透けないよう全てを黒色領域部にすることを特徴とする請求項１から５のいずれか１項に記載の画像読取装置。
【請求項７】
さらに、前記背景部材における白色領域部を基にシェーディング補正値を調整し、シェーディング補正を行うシェーディング補正手段を備えることを特徴とする請求項１から６のいずれか１項に記載の画像読取装置。
【請求項８】
前記シェーディング補正手段は、前記読取手段によって原稿が１枚読み取られる毎に、前記シェーディング補正値を調整することを特徴とする請求項１から７のいずれか１項に記載の画像読取装置。
【請求項９】
副走査方向に搬送される原稿に対し、所定の読取位置で主走査方向の１ラインを読み取る読取ステップと、
前記読取ステップにて読み取られた、前記原稿と前記読取位置と原稿を挟んで、前記読取位置の反対側に配置された背景部材との読取結果に基づいて、原稿の傾きを検出して、斜め補正を行う補正ステップとを有する画像読取方法において、
白色領域部と黒色領域部とが主走査方向で区分けされたベルトを有する背景部材の前記白色領域部、及び黒色領域部を、前記読取ステップにて原稿を主走査方向に１ライン読み取って得られた原稿サイズに合わせて、主走査方向に移動させる調整ステップを備えることを特徴とする画像読取方法。
【請求項１０】
前記調整ステップは、前記読取ステップが読み取った１枚目の原稿サイズに前記領域部を合わせたまま、連続で読み取ることを特徴とする請求項９に記載の画像読取方法。
【請求項１１】
前記調整ステップは、前記読取ステップが１枚読み取る毎に前記ベルトの領域部を調整することを特徴とする請求項９又は１０に記載の画像読取方法。
【請求項１２】
前記調整ステップは、前記読取手段が所定の枚数読み取る毎に前記ベルトの領域部を調整することを特徴とする請求項９から１１のいずれか１項に記載の画像読取方法。
【請求項１３】
前記調整ステップは、利用者によって指定された原稿サイズを白色領域部とすることを特徴とする請求項９から１２のいずれか１項に記載の画像読取方法。
【請求項１４】
前記調整ステップは、裏面の画像が透けないよう全てを黒色領域部にすることを特徴とする請求項９から１３のいずれか１項に記載の画像読取方法。
【請求項１５】
さらに、前記背景部材における白色領域部を基にシェーディング補正値を調整し、シェーディング補正を行うシェーディング補正ステップを備えることを特徴とする請求項９から１４のいずれか１項に記載の画像読取方法。
【請求項１６】
前記シェーディング補正ステップは、前記読取ステップによって原稿が１枚読み取られる毎に、前記シェーディング補正値を調整することを特徴とする請求項９から１５のいずれか１項に記載の画像読取方法。
【発明の詳細な説明】
【技術分野】
【０００１】
本発明は、原稿の傾きを検出して傾き補正を行うと共に、両面原稿の裏面画像の裏写りを除去する機能を有した画像読取装置及び画像読取方法に関する。
【背景技術】
【０００２】
原稿を読み取る際に、搬送される原稿の傾きを検出して斜め画像を補正することは重要である。特許文献１には原稿を挟んだ読取手段との反対側に背景部材を配置し、背景部材と原稿とを読み取り、読取結果に基づいて原稿の傾きを検出して斜め補正を行う画像読取装置が開示されている。背景部材には、白色領域部と黒色領域部とが副走査方向に所定長さで形成されており、これらの白色領域部及び黒色領域部が副走査方向に沿って原稿サイズの数に対応する数だけ形成されている。
【０００３】
上述した従来装置では、原稿が片面の際には原稿が通過する領域を背景部材の白色領域部とし、原稿が通過しない領域を背景部材の黒色領域部として原稿のコントラスト低下を防ぎながら原稿の傾きを検出するようになっている。又、原稿が両面の際には、背景部材の黒色領域部に対応させることにより、原稿の端部を容易に求め、原稿の裏写りを防いでいる。
【特許文献１】特開２００４−２８２１５１号公報
【発明の開示】
【発明が解決しようとする課題】
【０００４】
しかしながら、特許文献１記載の画像読取装置においては、背景部材が対応する原稿サイズだけに対応するものであり、背景部材が規定する以外のサイズの原稿に対しては対応することができない不便さを有している。
【０００５】
本発明はこのような従来の問題点を考慮してなされたものであり、数多くのサイズの原稿に対しても傾きの補正を行うことが可能な画像読取装置及び画像読取方法を提供することを目的とする。
【課題を解決するための手段】
【０００６】
上記目的を達成するため、本発明の画像読取装置によれば、副走査方向に搬送される原稿に対し、所定の読取位置で主走査方向の１ラインを読み取る読取手段と、前記読取位置と原稿を挟んで前記読取手段の反対側に配置された背景部材と、前記読取手段によって読み取った、前記原稿と前記背景部材との読取結果に基づいて原稿の傾きを検出して、斜め補正を行う補正手段とを有する画像読取装置において、前記背景部材は、白色領域部と黒色領域部とが主走査方向で区分けされたベルトを有し、前記読取手段によって原稿を主走査方向に１ライン読み取って得られた原稿サイズに合わせて、前記白色領域部、及び黒色領域部を、主走査方向に移動させる調整手段を設けたことを特徴とする。
【０００７】
調整手段は、前記読取手段が読み取った１枚目の原稿サイズに前記領域部を合わせたまま、連続で読み取ることを特徴とする。
【０００８】
調整手段は、前記読取手段が１枚読み取る毎に前記ベルトの領域部を調整することを特徴とする。
【０００９】
調整手段は、前記読取手段が所定の枚数読み取る毎に前記ベルトの領域部を調整する。
【００１０】
調整手段は、利用者によって指定された原稿サイズを白色領域部とすることを特徴とする。
【００１１】
調整手段は、裏面の画像が透けないよう全てを黒色領域部にすることを特徴とする。
【００１２】
さらに、前記背景部材における白色領域部を基にシェーディング補正値を調整し、シェーディング補正を行うシェーディング補正手段を備えることを特徴とする。
【００１３】
シェーディング補正手段は、前記読取手段によって原稿が１枚読み取られる毎に、前記シェーディング補正値を調整することを特徴とする。
【００１４】
また、本発明における画像読取方法は、副走査方向に搬送される原稿に対し、所定の読取位置で主走査方向の１ラインを読み取る読取ステップと、前記読取ステップにて読み取られた、前記原稿と前記読取位置と原稿を挟んで、前記読取位置の反対側に配置された背景部材との読取結果に基づいて、原稿の傾きを検出して、斜め補正を行う補正ステップとを有する画像読取方法において、白色領域部と黒色領域部とが主走査方向で区分けされたベルトを有する背景部材の前記白色領域部、及び黒色領域部を、前記読取ステップにて原稿を主走査方向に１ライン読み取って得られた原稿サイズに合わせて、主走査方向に移動させる調整ステップを備えることを特徴とする。
【００１５】
調整ステップは、前記読取ステップが読み取った１枚目の原稿サイズに前記領域部を合わせたまま、連続で読み取ることを特徴とする。
【００１６】
調整ステップは、前記読取ステップが１枚読み取る毎に前記ベルトの領域部を調整することを特徴とする。
【００１７】
調整ステップは、前記読取手段が所定の枚数読み取る毎に前記ベルトの領域部を調整することを特徴とする。
【００１８】
調整ステップは、利用者によって指定された原稿サイズを白色領域部とすることを特徴とする。
【００１９】
調整ステップは、裏面の画像が透けないよう全てを黒色領域部にすることを特徴とする。
【００２０】
さらに、前記背景部材における白色領域部を基にシェーディング補正値を調整し、シェーディング補正を行うシェーディング補正ステップを備えることを特徴とする。
【００２１】
シェーディング補正ステップは、前記読取ステップによって原稿が１枚読み取られる毎に、前記シェーディング補正値を調整することを特徴とする。
【発明の効果】
【００２２】
本発明によれば、背景部材が白色領域部と黒色領域部とを主走査方向で区分けされたベルトからなり、ベルトを走行させることにより白色領域及び黒色領域を原稿のサイズに合わせて変化させることができる。このため、種々のサイズの原稿に対応することができる汎用性を有している。
【発明を実施するための最良の形態】
【００２３】
以下、本発明を図示する一実施形態により、具体的に説明する。図１は一実施形態の画像読取装置の断面図、図２は背景部材を示す平面図、図３は作動のフローチャート、図４は傾きを検出する際の平面図である。
【００２４】
図１に示すように、画像読取装置１は、スキャナ筐体２とスキャナ筐体２上のＡＤＦ（自動原稿搬送装置）２０とを備えている。
【００２５】
スキャナ筐体２の上面部には、コンタクトガラス３が配設されており、コンタクトガラス３の下方のスキャナ筐体２の内部には、読取手段として、光源としての照明ランプ４、対向ミラー５及び第１ミラー６を搭載する第１走行体７、第２ミラー８と第３ミラー９を搭載する第２走行体１０、レンズ１１及び画像読取基板１２に設けられた光電変換素子としてのＣＣＤ１３が配設されている。第１走行体７と第２走行体１０は、図示しない走行体モータにより駆動されて副走査方向（図１の左右方向）に移動する。
【００２６】
コンタクトガラス３上にセットされた原稿３３を読み取る際には、第１走行体７と第２走行体１０を副走査方向に移動させながら、照明ランプ４からコンタクトガラス３上にセットされた原稿３３に光を照射し、原稿３３で反射された光を第１ミラー６で第２ミラー８方向に反射させ、さらに、第２ミラー８で第３ミラー９方向に反射させて、第３ミラー９でレンズ１１方向に反射させる。そして、レンズ１１に入射された光をＣＣＤ１３に集光して、ＣＣＤ１３で入射光を光電変換して画像信号を出力する。
【００２７】
ＡＤＦ２０はスキャナ筐体２の上部に開閉可能に取り付けられている。ＡＤＦ２０は、原稿台２１、給紙コロ２２、分離コロ２３、搬送ローラ２４、背景部材２５、排紙ローラ２６及び圧板２７等を備えている。圧板２７は、コンタクトガラス３上にセットされた原稿３３をコンタクトガラスに押さえ付ける圧板機能を備えているとともに、その上面がＡＤＦ２０の排紙トレイ２７ａとして機能している。
【００２８】
スキャナ筐体２の上部であって、背景部材２５と対向する位置には、ＡＤＦ読取ガラス３０が配設されており、ＡＤＦ読取ガラス３０の原稿搬送方向上流側と下流側には、それぞれガイド４１，４２が配設されている。ＡＤＦ読取ガラス３０は、原稿３３の傾きを検出するために用いられる。
【００２９】
上記構成において、ＡＤＦ２０を使用して原稿３３を搬送して読み取りを行う場合には、原稿台２１の上に積載された原稿３３を、呼び出しコロ２２により分離コロ２３へ呼び出して、分離コロ２３により１枚ずつ分離して搬送ローラ２４に送り出す。
【００３０】
搬送ローラ２４は、送り出されてきた原稿３３をガイド４１に搬送し、原稿３３をガイド４１で案内させしながらＡＤＦ読取ガラス３０と背景部材２５との間を搬送し、ガイド４２で案内して排紙ローラ２６へと搬送する。排紙ローラ２６は、搬送されてきた原稿３３を圧板２７の排紙トレイ２７ａ上に排出する。
【００３１】
又、画像読取装置１において、ＡＤＦ２０を使用して原稿３３を搬送して読み取りを行う場合には、ＡＤＦ読取ガラス３０の下のＡＤＦ読取位置に、第１走行体７を移動して固定し、ＡＤＦ読取ガラス３０上を通過する原稿３３に第１走行体７の照明ランプ４から原稿３３に光を照射する。この原稿３３で反射される光を、第１ミラー６、第２ミラー８及び第３ミラー９で順次反射して、レンズ１１を通過させてＣＣＤ１３に集光して、ＣＣＤ１３で入射光を光電変換して、画像信号を出力する。
【００３２】
図２は背景部材２５を示す。背景部材２５は、搬送される原稿３３を挟んで読取手段である照明ランプ４の反対側に配置されている。背景部材２５は主走査方向に沿って延びているベルト３５によって構成されている。又、背景部材２５に対してはベルト３５を無端状とするためのプーリ３２，プーリ３２と、一方のプーリを回転させてベルト３５を走行させる調整手段としての調整モータ３１とが配置される。
【００３３】
背景部材２５としてのベルト３５には、白色領域部３５ａと黒色領域部３５ｂとが主走査方向で区分けされて設けられている。原稿３３は矢印で示す副走査方向（搬送方向）に搬送され、図１に示すＡＤＦ読取ガラス３０上でベルト３５と共に読み取られる。この読み取りは、ベルト３５の幅方向の略中央部分で行われる。符号Ｙは読取位置を示す。
【００３４】
図３は傾き補正を行う作動の一例を示すフローチャートである。ユーザーによって原稿が両面原稿であるか片面原稿であるかの情報が入力される（ステップＦ１）。両面原稿の場合には、背景部材２５において全領域が黒色領域部３５ｂとなるよう走行し（ステップＦ６）、ステップＦ７に移行する。このように全領域を黒色領域部３５ｂとすることにより裏面の画像が透けて写ることを防止する。
【００３５】
原稿３３が片面原稿の場合には、ステップＦ２に移行し、原稿３３をＡＤＦ読取ガラス３０まで搬送させる。そして、原稿３３の主走査方向に対して光を照射することにより原稿の１ラインを読み取る（ステップＦ３）。この１ラインを読み取ったデータから原稿サイズを検知する（ステップＦ４）。調整モータ３１は検知した原稿サイズに合わせてベルト３５を主走査方向に移動させて白色領域部３５ａ及び黒色領域部３５ｂの領域を調整する（ステップＦ５）。
【００３６】
この調整の後、読取手段は原稿３３及びベルト３５に対して読み取りを開始し（ステップＦ７）、読み取ったデータから原稿３３の傾き補正を行う（ステップＦ８）。
【００３７】
傾き補正は搬送された原稿３３の傾きを検出して、その傾きを補正するものである。図４に示すように、原稿から読み取った画像は、図４の位置Ａで示すように、原稿端が副走査方向（搬送方向）に対して平行となっていない。このため、原稿３３の白色の余白部分とベルト３５の黒色領域部３５ｂとの差を認識して画像の傾きを求める。背景部材２５のベルト３５の黒色領域部３５ｂ上を搬送された原稿を読み取った場合の画像は、図５の位置Ｂのように背景が白色領域部３５ａの場合と比べて暗くなる。このため、この背景領域の色を位置Ａにおける背景色と合わせ、傾きを補正することにより完了する。
【００３８】
図５は別の作動のフローチャートを示す。図５においては、原稿サイズをユーザー指定によって行うものである。ユーザーによって原稿が両面原稿であるか片面原稿であるかの情報が入力される（ステップＦ１１）。両面原稿の場合には、黒色領域部３５ｂが原稿３３と対応するように背景部材２５（ベルト３５）が走行して停止する（ステップＦ１４）。
【００３９】
原稿が片面原稿の場合には、ユーザーが原稿サイズを入力する（ステップＦ１２）。この入力に基づいて、調整モータ３１は背景部材２５（ベルト３５）を主走査方向に移動させて白色領域部３５ａ及び黒色領域部３５ｂを調整する（ステップＦ１３）。このとき原稿外の部分は黒色領域部３５ｂとする。その後、読取手段は原稿３３及びベルト３５に対して読み取りを開始し（ステップＦ１５）、読み取ったデータから原稿３３の傾き補正を行う（ステップＦ１６）。図５のフローチャートは、複数の原稿を連続的に読み取る場合においても適用することができる。すなわち、ユーザーが指定した原稿サイズを全ての原稿に対して適用するものであり、これにより迅速な読み取りが可能となる。
【００４０】
このような実施形態では背景部材２５であるベルト３５を主走査方向に移動させることによって、白色領域部３５ａ及び黒色領域部３５ｂを原稿のサイズに合わせて変化させることができる。このため、種々のサイズの原稿に対応することが可能となる。
【００４１】
本発明においては、複数の原稿を連続で読み取る場合にも適用することができる。この場合には、読み取った１枚目の原稿の原稿サイズに合わせて行うものであり、原稿サイズ分の領域を白色領域部３５ａとし、それ以外を黒色領域部３５ｂとして読み取りを続ける。これにより、複数の原稿の読み取りの際に調整をその都度行うことがなく、迅速な傾き補正が可能となる。
【００４２】
又、複数の原稿を連続で読み取る場合においては、個々の原稿に対して原稿サイズを検出し、原稿サイズ分の領域を白色領域部３５ａとし、それ以外を黒色領域部３５ｂとしても良い。この場合には、原稿サイズが混在している場合においても個々の原稿に対する傾き補正をすることが可能となる。
【００４３】
又、複数の原稿を連続で読み取る場合においては、所定の枚数毎に読み取った原稿サイズに合わせて白色領域部３５ａ及び黒色領域部３５ｂを調整しても良い。これにより、傾き補正が間欠的となるため迅速処理が可能となる。さらに、原稿読み取りの当初に、黒色領域部３５ｂだけを原稿サイズとし、その後に白色領域部３５ａ及び黒色領域部３５ｂを調整しても良い。さらにまた、原稿を連続的に読み取る際に原稿間で白色領域部３５ａとしてシェーディング補正を行っても良い。これにより、原稿間でシェーディング補正値を調整することができ、常に適正な補正が可能となる。
【図面の簡単な説明】
【００４４】
【図１】本発明の一実施形態の画像読取装置を示す断面図である。
【図２】背景部材を示す平面図である。
【図３】作動の一例を示すフローチャートである。
【図４】傾き補正を説明する平面図である。
【図５】別の作動を示すフローチャートである。
【符号の説明】
【００４５】
１    画像読取装置
４    照明ランプ
２０    ＡＤＦ
２５    背景部材
３３    原稿
３５    ベルト
３５ａ    白色領域部
３５ｂ    黒色領域部
【図１】
2009212602.tif 000003
【図２】
2009212602.tif 000004
【図３】
2009212602.tif 000005
【図４】
2009212602.tif 000006
【図５】
2009212602.tif 000007